(57)【要約】【課題】  製造工程の簡略化を図ることができるとともに、表裏何れの方向からも捲り易い紙葉類積層体を提供すること。【解決手段】  多数枚の用紙Ｐの一端外縁に背クロス１１を貼付して一冊に綴じられたノート１０が形成されている。このノート１０の前部外縁１８には切欠部２０が形成されている。切欠部２０は、用紙Ｐの一端外縁をずらした状態で、当該一端外縁に連なる外縁に切断刃３１を用いて抜き加工を行い、その後に用紙Ｐの外縁を厚み方向に揃えることで、切欠縁２０Ａがノート１０の表裏に表れ、表裏何れの方向からも用紙Ｐを一枚ずつ捲り操作できるように設けられている。【選択図】          図１
2006095752.tif 000002
【特許請求の範囲】
【請求項１】
背部を捲り中心として一枚ずつ捲り操作可能に積層された紙葉類の外縁部分に切欠部を設けるとともに、当該切欠部の切欠縁が紙葉類の面方向にずれていることで、当該紙葉類が一枚ずつ捲り易く設けられた紙葉類積層体において、
前記切欠縁は、一つの切欠部で表裏各面側に表出することを特徴とする紙葉類積層体。
【請求項２】
背部を捲り中心として一枚ずつ捲り操作可能に積層された紙葉類の外縁部分に切欠部を設けるとともに、当該切欠部の切欠縁を紙葉類の面方向にずらすことで、当該紙葉類が一枚ずつ捲り易く設けられた紙葉類積層体において、
前記切欠縁は表裏各面側に表れて表側捲り領域及び裏側捲り領域が前記外縁に沿って対称的に位置するように設けられ、
前記表側捲り領域と裏側捲り領域との間に、これら各領域を不連続に保つ凹状部が形成されて指先を切欠縁に引っかける空間が形成されていることを特徴とする紙葉類積層体。
【請求項３】
前記切欠縁は背部と平行となる前部外縁に沿って設けられていることを特徴とする請求項１又は２記載の紙葉類積層体。
【請求項４】
多数枚の紙葉類の外縁の相対する二つの外縁が揃うように当該紙葉類を積層して初期積層状態とし、
前記積層された紙葉類の、前記相対する二つの外縁を除く少なくとも一つの外縁を面方向にずらし、
前記二つの外縁の一方の外縁に、前記紙葉類の面直交方向に沿う抜き加工を行って切欠部を形成し、
前記紙葉類を初期積層状態に戻し、
前記紙葉類の外縁を揃えた後に前記切欠部が形成された外縁を除く他の外縁に背部を形成することで、表裏各面側に切欠縁のずれを表出させることを特徴とする紙葉類積層体の製造方法。
【請求項５】
前記紙葉類は、複数冊の紙葉類積層体が製造可能な帯状をなし、前記切欠部を各冊に対応する領域に形成した後に、各切欠部間を切断することで複数冊が同時に製造されることを特徴とする請求項４記載の紙葉類積層体の製造方法。
【発明の詳細な説明】
【技術分野】
【０００１】
本発明は、紙葉類積層体及びその製造方法に係り、更に詳しくは、ノート、メモ帳等、綴じられた状態の用紙を表裏何れの方向からも一枚ずつ捲り操作することが容易な紙葉類積層体及びその製造方法に関する。
【背景技術】
【０００２】
一般に、ノート、メモ帳等の紙葉類積層体は、同一サイズの用紙を、それらの外縁が揃った状態で一冊に束ねられた状態に製本されている。このような紙葉類積層体にあっては、小口側の用紙外縁に指先を掛けた状態で捲り方向に動かすことで一枚ずつ用紙を捲り操作することができる。しかしながら、実際には、製本された状態の各用紙は、それらの外縁が厚み方向にぴったり揃っていることで、一度に複数枚の用紙を捲ってしまうことがあり、一枚ずつ用紙を捲ることができない場合も多い。
【０００３】
そこで、例えば、メモ帳の小口側の各用紙外縁を厚み方向にずらした状態に切断して各用紙を束ねて製本することで、用紙外縁に指先を引っ掛け易くし、一枚ずつ用紙を捲ることに適した積層物品が提案されている（例えば、特許文献１参照）
【０００４】
【特許文献１】特開平１１−３３４２５２号公報
【発明の開示】
【発明が解決しようとする課題】
【０００５】
しかしながら、特許文献１に開示された構成にあっては、背部側の外縁が厚み方向に一致する一方、小口側の用紙外縁が厚み方向に沿ってずれた構成であるため、各用紙のサイズが異なるものとなり、最上位にある用紙と最下位にある用紙とでは、それらの平面積の差が大きくなって筆記等の有効面積が大小様々になってしまう、という不都合がある。
【０００６】
また、前記特許文献１の積層物品は、表裏何れかの方向からの捲り易さが担保されているだけであり、例えば、表側から捲り易くした場合には、裏側からは捲り難くなってしまう、という不都合を招来する。この場合、前記切欠部を形成する抜き加工等を表裏からそれぞれ行えば、表裏何れの方向からも用紙の捲り易さを確保することができるとともに、各用紙の平面積差を解消することが可能となる。
【０００７】
しかしながら、この場合においては、切欠部の形成工数が少なくとも二回となり、製造工程が複雑化する、という不利益をもたらすこととなる。
【０００８】
［発明の目的］
本発明は、このような不都合に着目して案出されたものであり、その目的は、製造工程、特に切欠部の形成工程の簡略化を図ることができるとともに、表裏何れの方向からも捲り易い紙葉類積層体及びその製造方法を提供することにある。
【課題を解決するための手段】
【０００９】
前記目的を達成するため、本発明は、背部を捲り中心として一枚ずつ捲り操作可能に積層された紙葉類の外縁部分に切欠部を設けるとともに、当該切欠部の切欠縁が紙葉類の面方向にずれていることで、当該紙葉類が一枚ずつ捲り易く設けられた紙葉類積層体において、
前記切欠縁は、一つの切欠部で表裏各面側に表出する、という構成を採っている。
【００１０】
また、本発明は、背部を捲り中心として一枚ずつ捲り操作可能に積層された紙葉類の外縁部分に切欠部を設けるとともに、当該切欠部の切欠縁を紙葉類の面方向にずらすことで、当該紙葉類が一枚ずつ捲り易く設けられた紙葉類積層体において、
前記切欠縁は表裏各面側に表れて表側捲り領域及び裏側捲り領域が前記外縁に沿って対称的に位置するように設けられ、
前記表側捲り領域と裏側捲り領域との間に、これら各領域を不連続に保つ凹状部が形成されて指先を切欠縁に引っかける空間が形成される、という構成を採っている。
【００１１】
更に、前記切欠縁は背部と平行となる前部外縁に沿って設けられる、という構成を採ることが好ましい。
【００１２】
また、本発明に係る紙葉類積層体の製造方法は、多数枚の紙葉類の外縁の相対する二つの外縁が揃うように当該紙葉類を積層して初期積層状態とし、
前記積層された紙葉類の、前記相対する二つの外縁を除く少なくとも一つの外縁を面方向にずらし、
前記二つの外縁の一方の外縁に、前記紙葉類の面直交方向に沿う抜き加工を行って切欠部を形成し、
前記紙葉類を初期積層状態に戻し、
前記紙葉類の外縁を揃えた後に前記切欠部が形成された外縁を除く他の外縁に背部を形成することで、表裏各面側に切欠縁のずれを表出させる、という手法を採っている。
【００１３】
前記方法における紙葉類は、複数冊の紙葉類積層体が製造可能な帯状をなし、前記切欠部を各冊に対応する領域に形成した後に、各切欠部間を切断することで複数冊が同時に製造される、という手法を採用することができる。
【００１４】
なお、本発明において、「紙葉類積層体」とは、ノート、メモ帳、書籍、レポート用紙、手帳、書籍、見本帳等、用紙若しくはシートが多数枚積層され綴じられたものを含む。
【発明の効果】
【００１５】
本発明によれば、切欠部の切欠縁が紙葉類の面に沿ってずれた状態で表裏各面側に表れる構成となるため、例えば、ノート等の紙葉類積層体としたときに、表側及び裏側の双方から選択的に捲り操作することが可能となる。
また、表側捲り領域と裏側捲り領域の間に凹状部を設けることにより、指先を切欠縁に引っ掛ける領域が確保されて捲り易さを確保することができる。
更に、切欠部の形成は、一回の抜き加工等によって行うことができるので、製造工程数を最小限のものとして製造コストの低廉化を図ることが可能となる。
更に、複数冊の紙葉類積層体を同時に製造できるため、一回の抜き加工による切欠部の形成と相俟って、更なる製造効率も改善される。
【発明を実施するための最良の形態】
【００１６】
以下、本発明の好ましい実施形態を図面を参照しながら説明する。
【００１７】
図１には、本発明の紙葉類積層体がノートに適用された実施形態に係る概略斜視図が示されている。この図において、ノート１０は、紙葉類としての用紙Ｐが多数枚積層された状態で、背部を構成する背クロス１１が一端側に貼付され、これにより、各用紙Ｐが一体化されて一冊の状態に束ねられている。
【００１８】
前記用紙Ｐは、背クロス１１が貼付される背部外縁１３と、この背部外縁１３に連なるとともに当該背部外縁１３と略直交する方向に向けられた上部外縁１５及び下部外縁１６と、これら上部外縁１５及び下部外縁１６に連なって前記背部外縁１３と略平行に位置して前小口を構成する前部外縁１８とを備えた形状に設けられている。
【００１９】
前記前部外縁１８には切欠部２０が形成されている。この切欠部２０は、刃先が略コ字状若しくはＵ字状となる切断刃を備えたプレス装置を用いて一回抜き加工することによって形成される。ここで、切欠部２０は、各用紙Ｐの前部外縁１８にコ字状若しくはＵ字状の軌跡に沿う切欠縁２０Ａが表出する。
【００２０】
すなわち、前記切欠部２０は、用紙Ｐの厚み方向において、前記切欠縁２０Ａが用紙Ｐの面方向に沿って僅かずつずれた状態をなし、これら切欠縁２０Ａは、ノート１０の表裏各面側に表れる状態となり、これにより、図２に示されるように、表側捲り領域２２及び裏側捲り領域２３が前部外縁１８に沿う上下二箇所領域に対称的に位置するようになっている。ここで、表側捲り領域２２と裏側捲り領域２３との間には、これら各捲り領域２２，２３を不連続に保つ一つの凹状部２４が形成され、当該凹状部２４に指先を入れて各用紙Ｐの切欠縁２０Ａに指先を引っ掛け易くした構成となっている。
【００２１】
次に、前記ノート１０を製造する方法について図３ないし図５を参照しながら説明する。
【００２２】
図３（Ａ）、（Ｂ）に示されるように、複数冊のノートが製造可能となる帯状用紙ＰＬを用い、これら帯状用紙ＰＬの外縁のうち、相対する二つの外縁Ｐ１，Ｐ２がそれぞれ略一致する状態を初期積層状態として略水平にセットし、その長手方向一端側の外縁Ｐ３をクランプ３０で挟み込んで仮止めを行っておく。
【００２３】
次いで、図４（Ａ）、（Ｂ）示されるように、クランプ３０を水平面に対して変位させて当該クランプ３０が位置する側とは反対側となる帯状用紙ＰＬの外縁Ｐ４が、帯状用紙ＰＬの面方向に沿ってずれた状態を形成する。この状態では、図４（Ｂ）に示されるように、外縁Ｐ４は厚み方向に傾斜した状態となる。
【００２４】
そして、上方より切断刃３１を下降させて前記外縁Ｐ４に対して略直交する方向に連なる幅方向一端側の外縁Ｐ２に切欠部２０を形成する（図４（Ｃ）参照）
【００２５】
この後、図５（Ａ）に示されるように、帯状用紙ＰＬの全体が略水平となるように初期状態に戻す。これにより、前述した長手方向一端側の外縁Ｐ４に形成されたずれ量に対応して切欠部２０の切欠縁２０Ａにずれが生ずることとなり、当該ずれが、帯状用紙ＰＬの表裏両側に表れることとなる。
【００２６】
そして、前記クランプ３０の直近内側を図示しない切断装置で切断し、切欠部２０が形成されている外縁Ｐ２とは反対側の外縁Ｐ１に背クロス１１が貼付され、最終工程において、ノート１０のサイズに応じて各切欠部２０間を図中点線に沿って切断することで、三冊のノート１０が形成されることとなる。
【００２７】
このようにして構成されたノート１０は、図１に示される用紙Ｐを上面側として見たときに、表側捲り領域２２の切欠縁２０Ａに指先を掛けることにより、表側から一枚ずつ用紙Ｐを捲り操作することができる一方、当該ノート１０を裏返しにしたときに、裏側捲り領域２２の切欠縁２０Ａに指先を掛けて一枚ずつ用紙Ｐの捲り操作を行うことが可能となる。
【００２８】
従って、このような実施形態によれば、一冊のノート１０において切欠部２０を形成する場合の抜き加工を一回のみによって、ノート１０の表裏何れの方向からも捲り操作を行うことができる切欠縁２０Ａを表出させることができ、しかも、各用紙Ｐにおける筆記の有効面積も同一に保つことが可能になる、という効果を得る。
【００２９】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記実施形態では、三冊のノート１０を製造する場合について説明したが、本発明はこれに限定されるものではなく、同時に製造される冊数は必要に応じて増加、減少させることができる。また、切欠部２０の形状は、コ字状若しくはＵ字状に限定されるものではなく、任意の平面形状に設けることができる。また、切欠部２０の形成位置は、前部外縁１８に限定されず、上部外縁１５又は下部外縁１６であってもよい。
【００３１】
更に、前記実施形態では、用紙Ｐの一端側外縁をクランプ３０によって挟み込んで他端側外縁にずれを生じさせた状態で切欠部２０を形成するものとしたが、例えば、傾斜面を備えた図示しないブロック状の治具を用い、この治具の傾斜面に用紙Ｐの一端外縁を突き合わせた状態とし、この状態で用紙Ｐの全体を押さえ込んで切欠部２０を抜き加工することも可能であり、当該切欠部２０を形成した後に、用紙Ｐの外縁が一致するように初期状態に戻して背部１１を形成することでもよい。要するに、本発明は、一回の抜き加工を行うだけで、表裏何れの方向からも指掛けを行って一枚ずつの用紙捲りが可能になればよく、その他の製造方法を妨げない。
【図面の簡単な説明】
【００３２】
【図１】本実施形態に係るノートの概略斜視図。
【図２】前記ノートの平面図。
【図３】（Ａ）は、ノートを製造する際の初期状態を示す平面図、（Ｂ）はその正面図。
【図４】（Ａ）は用紙に切欠部を形成する際の用紙の状態を示す平面図、（Ｂ）はその正面図、（Ｃ）は切欠部を形成した状態を示す用紙の平面図。
【図５】（Ａ）は切欠部を形成して用紙を初期状態に戻した状態を示す平面図、（Ｂ）はクランプ直近内側を切断した状態を示す平面図、（Ｃ）は三冊のノートに切断した状態を示す平面図。
【符号の説明】
【００３３】
１０  ノート（紙葉類積層体）
１１  背クロス
１３  背部外縁
１５  上部外縁
１６  下部外縁
１８  前部外縁
２０  切欠部
２４  凹状部
２０Ａ  切欠縁
【図１】
2006095752.tif 000003
【図２】
2006095752.tif 000004
【図３】
2006095752.tif 000005
【図４】
2006095752.tif 000006
【図５】
2006095752.tif 000007